(57)【特許請求の範囲】
【請求項１】
可動家具部（３）のためのダンパ（１０）であって、
ダンパハウジング（１１）と、
前記ダンパハウジング（１１）内の流体チャンバ（１４）と、
前記流体チャンバ（１４）内に移動可能に取り付けられている制動ピストン（１５）と、
前記ダンパハウジング（１１）内に移動可能に取り付けられると共に、軸方向（ｘ）に延びる長形の駆動部（１２）であり、第１の端部及び第２の端部を有してなる長形の駆動部（１２）と、
前記流体チャンバ（１４）を封止するために、前記ダンパハウジング（１１）と前記駆動部（１２）との間に配置された封止要素（３０）であり、前記駆動部（１２）に当接する封止要素（３０）と、
前記駆動部（１２）に接続され、且つ、前記制動ピストン（１５）に対して当接するレバーアーム（１３）であって、可動家具部材（３）の動きが該レバーアーム（１３）を介して前記制動ピストン（１５）に伝達可能であるレバーアーム（１３）と、
前記封止要素（３０）の軸方向（ｘ）の移動を制限し、軸方向（ｘ）での該封止要素（３０）と前記駆動部（１２）との直接の接触を防止するスペーサ要素（４０）と、
を含んでなるダンパにおいて、
前記レバーアーム（１３）は、前記駆動部（１２）の第１の端部の近傍に設けられており、
前記駆動部（１２）は、半径方向に延出する突出部（４３）を有しており、この突出部（４３）は、前記レバーアーム（１３）と接触しないように当該駆動部（１２）の第２の端部の近傍に設けられており、
前記封止要素（３０）及び前記スペーサ要素（４０）が、前記レバーアーム（１３）と前記駆動部の突出部（４３）との間に位置決めされており、
更に、前記スペーサ要素（４０）が、前記封止要素（３０）と前記駆動部の突出部（４３）との間に配置されている、ことを特徴とするダンパ。
【請求項２】
前記封止要素（３０）は、前記流体チャンバ（１４）を封止する封止延出部（３２）を介して前記駆動部（１２）と当接することを特徴とする請求項１に記載のダンパ。
【請求項３】
前記封止要素（３０）は、該封止要素（３０）を前記ダンパハウジング（１１）に接続するための保持領域（３３）と、該保持領域（３３）と前記封止延出部（３２）との間の側面部（３４）とを有しており、該側面部（３４）は前記ダンパハウジング（１１）または前記スペーサ要素（４０）とのみ接触でき、前記駆動部（１２）には接触できないことを特徴とする請求項２に記載のダンパ。
【請求項４】
前記封止要素（３０）は前記保持領域（３３）に少なくとも１つの保持突出部（３７）を有していることを特徴とする請求項３に記載のダンパ。
【請求項５】
前記封止要素（３０）は環状形態であることを特徴とする請求項１〜４のいずれか一項に記載のダンパ。
【請求項６】
前記スペーサ要素（４０）は前記ダンパハウジング（１１）に対して移動可能であることを特徴とする請求項１から５のいずれか一項に記載のダンパ。
【請求項７】
前記スペーサ要素（４０）は環状平坦ワッシャの形態であることを特徴とする請求項６記載のダンパ。
【請求項８】
前記スペーサ要素（４０）は前記ダンパハウジング（１１）に固定的に接続されていることを特徴とする請求項１〜５のいずれか一項に記載のダンパ。
【請求項９】
前記駆動部（１２）は、少なくとも領域的に筒体の形状であり、前記封止延出部（３２）が当接する駆動シャフトの形態であることを特徴とする請求項２〜４のいずれか一項に記載のダンパ。
【請求項１０】
前記制動ピストン（１５）が前記流体チャンバ（１４）内に滑動可能に取り付けられていることを特徴とする請求項１〜９のいずれか一項に記載のダンパ。
【請求項１１】
前記駆動部（１２）は前記ダンパハウジング（１１）内で回転可能に取り付けられていることを特徴とする請求項１〜１０のいずれか一項に記載のダンパ。
【請求項１２】
前記可動家具部（３）の動きを制動するために、請求項１〜１１のいずれか一項に記載のダンパ（１０）を有している、家具取り付け部品。
【請求項１３】
家具ヒンジ（４）の形態である本家具取り付け部品は、少なくとも１つの継ぎ手レバー（８）を介してヒンジアーム（５）に接続されているヒンジカップ（６）を有しており、前記ダンパ（１０）は該ヒンジカップ（６）内、またはその上に取り付けられていることを特徴とする請求項１２に記載の家具取り付け部品。
【請求項１４】
前記ヒンジカップ（６）に移動可能に取り付けられている作動要素（３１）は前記継ぎ手レバー（８）によって作動され、該作動要素（３１）は前記制動ピストン（１５）に作用するために前記ダンパ（１０）の前記駆動部（１２）に動作可能に結合されていることを特徴とする請求項１３に記載の家具取り付け部品。
【発明の詳細な説明】
【技術分野】
【０００１】
本発明は、ダンパハウジング（制動器収容体）と、ダンパハウジング内の流体チャンバと、ダンパハウジング内に可動状態に取り付けられ、特に回転可能状態に取り付けられ、軸方向に延びる長形駆動部と、ダンパハウジングと駆動部との間に配置された封止要素とを含んだ可動家具部のためのダンパに関する。本発明は、家具取り付け部品または可動家具部の動作を制動（緩衝）するそのようなダンパを有した家具の取り付け部品にも関する。
【背景技術】
【０００２】
長期にわたり多種多様な種類のダンパが家具取り付け部品に使用されてきた。この点に関して、これらダンパには、損傷と騒音を可能な限り防止するように、一般的にはヒンジ（丁番）カップの領域に配置され、可動家具部の閉動作を制動するヒンジ用ダンパが存在した。
【０００３】
特許文献１はそのようなダンパを開示しており、これには、特に流体チャンバの領域の変形可能な補償体が関与する。
【０００４】
先行文献の公開には当たらない出願番号ＧＭ８０６５／２０１３のオーストリア実用新案願（ＤＥ２０２０１３００９６９９Ｕ１に対応）も、特に流体チャンバ内に突き入る駆動部が関与する可動家具部のためのダンパを開示する。
【先行技術文献】
【特許文献】
【０００５】
【特許文献１】オーストリア特許第５１１８４７号明細書
【発明の概要】
【発明が解決しようとする課題】
【０００６】
しかしながら、従来技術において問題が発生するのは、まさにその駆動部の領域である。その駆動部は、可動家具部から制動ピストンへの動きの伝達のために流体チャンバ内に突き入るので、その内部において駆動部がダンパハウジング内で支持される領域は封止要素によって封止されなければならない。そのため、ダンパの流体は流体チャンバから逃がれられない。この場合には、通常の状況では、封止要素はダンパハウジング上に固定された状態で配置され、封止延出部が回転する駆動部に当接する。しかし、制動媒質内の駆動部の動きは流体チャンバ内でポンプ作用を発揮する。その結果、しばしば封止要素は駆動部に沿って軸方向で外側に、すなわち、ダンパハウジングに対して移動する。この場合、封止要素は、封止要素が駆動部の肩部または突出部に当接するまで軸方向に移動し、封止要素は、ダンパハウジング内に固定的に配置される代わりに駆動部と共に回転を開始する。その結果、流体チャンバには漏液現象が発生する。
【課題を解決するための手段】
【０００７】
よって、本発明の目的は、従来のものに勝るダンパを提供することである。とりわけ、本発明は、従来技術では発生する問題を回避させることを目的とする。特に、本発明は、ダンパの流体チャンバを可能な限り封止状態にすることを目的とする。
【０００８】
その目的は請求項１の特徴を備えたダンパによって達成される。よって、本発明によれば、軸方向の封止要素の動きを制限し、軸方向（軸方向とは長形駆動部の長手方向）での封止要素と駆動部とが直接接触することを防止するスペーサ要素が提供される。従って、封止要素は、駆動部と横方向に当接しなくなり、その結果、駆動部と共には回転できず、流体チャンバの漏液現象を回避する。すなわち、本発明のスペーサ要素は、封止要素の動作半径を制限し、封止要素と駆動部との横接触を許容しないという２つの機能を果たす。その他の好適な実施態様は従属請求項に記載されている。
【０００９】
好適な実施態様の一つによれば、駆動部は外側に放射状に方向付けられた突出部を有する。従って、さらに特定すれば、封止要素と、駆動部上のその突出部との直接の接触はスペーサ要素によって防止される。特に好適には、その突出部は封止要素の側部に提供されており、流体チャンバとは反対側に向いている。よって、スペーサ要素は突出部と封止要素との間に配置される。
【００１０】
封止要素の断面を円形または楕円形とすることができる。しかし、好適には、封止要素は流体チャンバを封止する封止延出部によって駆動部に当接できる。封止要素の正確な形態に関して、特に好適には、封止要素はダンパハウジングに封止要素を接続するための、好適には摩擦固定関係で接続するための保持領域と、保持領域と封止延出部との間の側面部とを有し、その側面部はダンパハウジングまたはスペーサ要素でのみ接触できるが、駆動部では接触できない。ダンパハウジング内で封止要素のために確実な保持と確実な装着を提供するため、好適には、保持領域内の封止要素は柔軟で圧縮可能な少なくとも１つの保持突出部を有し、好適には２つの保持突出部を有する。
【００１１】
封止要素が駆動部上の一部領域に対してのみ封止的に当接する可能性は排除されるべきではない。しかし、好適には、封止要素は環状であり、封止要素は駆動部を放射状に囲む。封止要素の環状形態と調和した形態であり、好適には、駆動部は少なくとも領域的には筒体形状であり、封止延出部が当接する駆動シャフトの形状である。その駆動シャフトの回転軸は軸方向に対応する。
【００１２】
スペーサ要素には２つの基本的な変形例が存在する。第１の変形例によれば、スペーサ要素はダンパハウジングに対して可動である。この点に関して、好適にはスペーサ要素は環状の平坦ワッシャの形状である。第２の変形例によれば、スペーサ要素はダンパハウジングに固定的に接続できる。
【００１３】
好適な実施態様の一つによれば、ダンパは流体チャンバ内で可動に取り付けられ、特には滑動的に取り付けられる制動ピストンを有することができる。さらに、レバーアームが駆動部に接続されており、レバーアームは制動ピストンに支受され、可動家具部の動きはレバーアームを介して駆動部によって制動ピストンに伝達できる。
【００１４】
特許保護は、家具取り付け部品の動きを制動するために、本発明によるダンパを有した家具取り付け部品にも請求される。この点に関して、家具取り付け部品は家具ヒンジの形状であり、家具ヒンジは少なくとも１つの継ぎ手レバーを介してヒンジアームに接続されたヒンジカップを有しており、ダンパはヒンジカップ内に、または、ヒンジカップに取り付けられる。好適な実施態様の一つによれば、その場合にはさらに、ヒンジカップに対して可動に取り付けられた作動要素が継ぎ手レバーによって作用を受けることができ、作動要素は制動ピストンに対して作用するため、ダンパの駆動部に動的に結合されている。
【００１５】
本発明のさらなる詳細と利点とは、以下の図面に図示された実施態様による実施例に関する特定の説明によってさらに詳細に解説されている。
【図面の簡単な説明】
【００１６】
【図１】図１は、旋回可能に取り付けられた扉を備えたキャビネット形態の家具の斜視図を示す。
【図２ａ】図２ａは、ヒンジカップに取り付けられたダンパを備えた家具ヒンジの２つの異なる斜視図を示す。
【図２ｂ】図２ｂは、ヒンジカップに取り付けられたダンパを備えた家具ヒンジの２つの異なる斜視図を示す。
【図３ａ】図３ａは、ダンパの断面図を示す。
【図３ｂ】図３ｂは、ダンパの断面図を示す。
【図３ｃ】図３ｃは、ダンパの断面図を示す。
【図４】図４は、第１実施例のスペーサ要素を備えたダンパの図である。
【図４ａ】図４ａは、第１実施例のスペーサ要素を備えたダンパの図である。
【図４ｂ】図４ｂは、第１実施例のスペーサ要素を備えたダンパの図である。
【図４ｃ】図４ｃは、第１実施例のスペーサ要素を備えたダンパの図である。
【図４ｄ】図４ｄは、第１実施例のスペーサ要素を備えたダンパの図である。
【図４ｅ】図４ｅは、第１実施例のスペーサ要素を備えたダンパの図である。
【図５】図５は、第２実施例のスペーサ要素を備えたダンパの図である。
【図５ａ】図５ａは、第２実施例のスペーサ要素を備えたダンパの図である。
【図５ｂ】図５ｂは、第２実施例のスペーサ要素を備えたダンパの図である。
【図５ｃ】図５ｃは、第２実施例のスペーサ要素を備えたダンパの図である。
【図５ｄ】図５ｄは、第２実施例のスペーサ要素を備えたダンパの図である。
【図５ｅ】図５ｅは、第２実施例のスペーサ要素を備えたダンパの図である。
【図６】図６は、第３実施例のスペーサ要素を備えたダンパの図である。
【図６ａ】図６ａは、第３実施例のスペーサ要素を備えたダンパの図である。
【図６ｂ】図６ｂは、第３実施例のスペーサ要素を備えたダンパの図である。
【図６ｃ】図６ｃは、第３実施例のスペーサ要素を備えたダンパの図である。
【図６ｄ】図６ｄは、第３実施例のスペーサ要素を備えたダンパの図である。
【図６ｅ】図６ｅは、第３実施例のスペーサ要素を備えたダンパの図である。
【発明を実施するための形態】
【００１７】
図１は家具筐体（枠体）２を有した家具の斜視図であり、扉またはフラップの形状の可動家具部は、家具ヒンジ４の形状の家具取り付け部品によって家具筐体２に対して旋回動作できるように取り付けられている。家具ヒンジ４は家具筐体２に固定されるヒンジアーム５と、そこに旋回可能に接続されたヒンジカップ６とを有している。ヒンジカップ６にはそれぞれダンパ１０（ここでは非図示）（図２参照）が取り付けられており、ヒンジカップ６は可動家具部３の筒状腔部内にダンパ１０と共に配置できる。家具ヒンジ４の閉動作及び／又は開動作、並びに、可動家具部３の閉動作及び／又は開動作は少なくとも１つのダンパ１０によって制動できる。
【００１８】
図２ａと図２ｂは、家具ヒンジ４の２つの異なる斜視図を示す。固定フランジ７はヒンジカップ６を可動家具部４に固定するために提供されている。ヒンジカップ６は少なくとも１つの継ぎ手レバー８を介して丁番式にヒンジアーム５に接続されている。作動要素３１がヒンジカップ６に回転軸周囲で旋回可能に取り付けられており、家具ヒンジ４の閉動作の終端に向かってレバー８はヒンジカップ６内に進入し、そうすることで、作動要素３１に回転運動を付与する。作動要素３１のその回転動作は、ダンパ１０の制動ピストン１５（図３ａ）の直線動作に変換される。図示の実施例においては、ダンパハウジング１１を有したダンパ１０が、ヒンジカップ６の外壁に、固定フランジ７の下方で配置されている。ヒンジカップ６の反対側に存在する外壁には戻り機構３５が取り付けられており、それによって回転可能に取り付けられた作動要素３１が、制動ストロークの実行後に始動位置に再び戻ることができる。ヒンジカップ６は、そこに取り付けられたダンパ１０および戻り機構５と共に、筒状の標準的家具腔部内に挿入することができる。取り付け位置でヒンジカップ６はダンパ１０および戻り機構３５の構造装置と共に筒状の標準的家具腔部の概念上の腔径内に配置される。戻り機構３５は、例えば、作動要素３１を回転させて始動位置に再び戻すねじりバネを有することができる。作動要素３１は手動のスイッチ３６（図２ａ）によって戻り動作を防止でき、望まれるなら、ダンパ１０の制動機能が停止できる。制動するための力を増加させるため、戻り機構３５の構造ユニットは、ダンパハウジング１１を有した追加のダンパ１０により交換でき、この場合には、作動要素３１の戻り動作は、ダンパハウジング１１に配置された戻りバネ１９（図３ａ）によって与えられる。
【００１９】
図３ａはダンパ１０の斜視図を示しており、制動ピストン１５は制動ストロークのための始動位置に存在する。ダンパハウジング１１内には、内部に制動ピストンを直線的に滑動させるように取り付けている少なくとも１つの流体チャンバ１４が提供されている。流体チャンバ１４は、好適には液体である流体によって満たされている。説明している実施例では、制動ピストン１５は２部構成形態であり、内側ピストン１６と、その内側ピストン１６上に配置されているスリーブ１７とを含む。制動ピストン１５に対して作用するように、レバーアーム１３を有した可動に取り付けられた駆動部１２が存在し、レバーアーム１３は制動ピストン１５の端部１８と協調する。駆動部１２は、図２ａに示す作動要素３１に可動に結合されており、作動要素３１の回転によって駆動部１２もそれと共に回転する。従って、制動ストローク時には、駆動部１２は回転軸９の周囲で旋回され、その場合には、駆動部１２のレバーアーム１３が制動ピストン１５を流体チャンバ１４内に押し込む。制動ストロークの終了後、制動ピストン１５は戻りバネ１９の力によって次の制動ストロークのための準備位置に戻ることができる。駆動部１２は部分的に流体チャンバ１４内に突出し、流体チャンバ１４内の制動流体、好適には制動液、によってそこで囲まれる。駆動部１２が回転したとき、追加的な液体の移動は発生せず、そのため、流体チャンバ１４内に移動する制動ピストン１５による容量の変化を相殺（補償）するための容量補償の必要はない。駆動部１２の回転軸は、好適には作動要素３１（図２ａ）の回転軸９と同軸的に設置される。駆動部は断面全体にわたって中実（非空洞）形態である。言い換えると、駆動部は中空ではなく、外側に方向付けられた上方面間または周囲面間のスペース全体が充填されている。
【００２０】
図３ｂはダンパ１０の側面図であり、制動ピストン１５の位置は図３ａで示す位置に対応する。駆動部１２は制動ピストン１５に対して可動状態に取り付けられている。説明している実施例では、駆動部１２は回転軸９の周囲で回転可能に取り付けられており、駆動部１２の回転軸９は、制動ピストン１５の直線的な制動ストロークの方向に対して直角方向に延びている。内側ピストン１６とスリーブ１７との間には空間が残されており、そこには過負荷防御手段２２の形態の機能装置が配置されている。内側ピストン１６の少なくとも１つの過負荷開口部が、制動ピストン１５に作用する押圧力の閾値を超える過負荷防御手段２２によって開くことができ、過負荷発生時には、圧力の急減を発生させる可能性が存在する。
【００２１】
図３ｃは作動位置に存在する駆動部１２を図示しており、制動ピストン１５は押し込み終端位置（すなわち制動ストロークの終端位置）に存在する。制動ピストン１５は駆動部１２の回転によって反時計回り方向に回転軸９の周囲で押し込まれる。駆動部１２は流体チャンバ１４内に存在し、流体制動媒体によって囲まれており、レバーアーム１３と制動ピストン１５の端部１８の磨耗は減少できる。流体チャンバ１４は充填通路２３によって制動流体で満たすことができ、流体チャンバ１４の封止保全は閉鎖腔部２０によって実行される。説明されている実施例は、回転可能に取り付けられた駆動部１２が外側の戻り機構３５（図２ｂ）によって戻ることができ、制動ピストン１５の戻り動作はそれとは無関係に可能であり、すなわち戻りバネ１９によって可能であることを示す。従って、作動要素３１（図２ａ）は、直ちに戻り機構３５の力によって駆動部１２と共に戻され、制動ピストン３５の戻り動作はダンパハウジング１１の戻りバネ１９の力によって引っ張られる形で実行される。戻り機構３５（図２ｂ）の配置は無視でき、その場合には、制動ピストン１５、駆動部１２および作動要素３１の戻り動作は、ダンパハウジング１１に配置された戻りバネ１９のみによって実行できる。
【００２２】
図４はダンパ１０の分解図であり、特には駆動部１２の周囲の領域を図示する。原理的には、この点に関して、ダンパ１０は、第１ハウジング部１１ａと第２ハウジング部１１ｂを含んだ２部構成のダンパハウジング１１を有していることが示されている。封止部４１は２つのハウジング部１１ａと１１ｂの間に配置されている。さらに、図４は閉鎖腔部２０、制動ピストン１５および戻りバネ１９を示しており、その機能は先行する図面の説明において解説されている。駆動部１２はハウジング部１１ｂの開口部４４内に回転可能に取り付けられている。レバーアーム１３は駆動部１２の１端にポジティブ（積極）固定関係に取り付けられており、レバーアーム１３は制動ピストン１５の端部１８に支受される。流体チャンバ１４の封止のための封止要素３０は開口部４４の領域でダンパハウジング１１と駆動部１２との間に配置されている。さらに、封止要素３０と駆動部１２との間には、この実施例では環状平坦ワッシャの形態であるスペーサ要素４０が軸方向ｘに配置されている。このスペーサ要素４０はダンパハウジング１１に固定的には接続されていない。一方、カバー４２はハウジング部１１ｂに固定的に接続が可能であり、駆動部１２は軸方向に保持される。
【００２３】
図４ａでは、図４の構成部材が組み立てられた状態の断面図が示されている。その点に関して、特に、図４ｂの詳細図は、封止要素３０が封止延出部３２を介して放射方向で駆動部１２に支受されていることを示す。封止延出部３２に加えて、封止要素は２つの側面部３４と保持領域３３も含む。保持領域３３には、摩擦固定関係にてハウジング部１１ｂに封止要素３０を保持させるように作用する弾性保持突出部３７が提供されている。封止要素３０またはその側面部３４と、駆動部１２の肩部または突出部４３との間で軸方向ｘにスペーサ要素４０が配置されている。スペーサ要素４０は軸方向ｘでの封止要素３０の動作を制限し、封止延出部３２を介する場合以外、封止要素３０と駆動部１２との直接の接触を防止する。図４ｃはダンパ１０の断面斜視図を図示する。図４ｅはダンパ１０の別な断面図を示しており、封止要素３０はハウジング部分１１ｂ内の所望される通常位置で保持領域３３の上方に示されている。流体チャンバ１４内の駆動部１２の回転で発生するポンプ効果のおかげで、封止要素３０は軸方向ｘ（図４ｄ参照）にて外側に移動する。スペーサ要素４０は駆動部１２の突出部４３に対する直接の接触を防止し、駆動部１２との封止要素３０の不都合な回転は防止される。
【００２４】
図５はダンパ１０の別実施例を示しており、スペーサ要素４０はハウジング部１１ｂに固定的に接続されている。図５ａ、図５ｂおよび図５ｃに図示するように、スペーサ要素４０は、摩擦固定式または固定取り付け式にハウジング部１１ｂに取り付けられている。カバー４２はスペーサ要素４０および駆動部１２が滑り出すのを防止する。この実施例ではスペーサ要素４０は、封止要素３０と駆動部１２との間での軸方向ｘの直接の接触を防止するようにも作用する。この点に関して、図５ｄと図５ｅは封止要素３０の通常位置と、封止要素３０の“移動後”位置を示す。
【００２５】
本発明の第３実施例が図６から図６ｃで図示されている。この点に関して、第２実施例と同様にスペーサ要素４０はダンパハウジング１１に固定的に接続されるか、固定的に接続可能である。しかしながら、第２実施例とは異なり、スペーサ要素４０はカバー４２と一体的である。この場合には、カバー４２は、“移動後”位置の封止要素３０が、軸方向ｘでスペーサ要素４０に支受され、駆動部１２には支受されないようにスペーサ要素４０を形成する一種の“突出部”を有する。図６ｂと図６ｃは、少々変更を加えたスペーサ要素４０またはカバー４２の実施例を示しており、これは、駆動部１２の少々異なる外側立体形状に合わせて設計されている。
【符号の説明】
【００２６】
２  家具筐体
３  可動家具部（または可動家具部品）
４  家具ヒンジ
５  ヒンジアーム
６  ヒンジカップ
８  継ぎ手レバー
９  回転軸
１０  ダンパ
１１  ダンパハウジング
１１ａ  ハウジング部
１１ｂ  ハウジング部
１２  駆動部
１３  レバーアーム
１４  流体チャンバ
１５  制動ピストン
１６  内側ピストン
１７  スリーブ
１８  制動ピストンの端部
１９  戻りバネ
２０  閉鎖腔部
２２  過負荷防御手段
２３  充填通路
３０  封止要素
３１  作動要素
３２  封止延出部
３３  保持領域
３４  封止要素の側面部
３５  戻り機構
３６  手動のスイッチ
３７  弾性保持突出部
４０  スペーサ要素
４１  封止部
４２  カバー
４３  駆動部の突出部
４４  ハウジング部の開口部
ｘ  封止要素の軸方向
【図１】
0006320526.tif 000002
【図２ａ】
0006320526.tif 000003
【図２ｂ】
0006320526.tif 000004
【図３ａ】
0006320526.tif 000005
【図３ｂ】
0006320526.tif 000006
【図３ｃ】
0006320526.tif 000007
【図４】
0006320526.tif 000008
【図４ａ】
0006320526.tif 000009
【図４ｂ】
0006320526.tif 000010
【図４ｃ】
0006320526.tif 000011
【図４ｄ】
0006320526.tif 000012
【図４ｅ】
0006320526.tif 000013
【図５】
0006320526.tif 000014
【図５ａ】
0006320526.tif 000015
【図５ｂ】
0006320526.tif 000016
【図５ｃ】
0006320526.tif 000017
【図５ｄ】
0006320526.tif 000018
【図５ｅ】
0006320526.tif 000019
【図６】
0006320526.tif 000020
【図６ａ】
0006320526.tif 000021
【図６ｂ】
0006320526.tif 000022
【図６ｃ】
0006320526.tif 000023